(57)【要約】【課題】履物等を収納し展示及び保管するための包装箱を提供する。【解決手段】  （イ）ボール紙等で作られた包装箱の、略直方体の四方の側壁面の隣り合う二つの側壁面において、境界角線を含む連続面の大半の領域に、プラスチックやアクリル板等の透明板を用いて透かし部を設け、蓋の側壁面の内側全体に滑り止めを設け、ケースの長手側壁面の透かし部のない方の側壁面のほぼ中央部に、指掛け用凹部を設ける。  （ロ）ケースの透かし部の有る短手壁側面に、整理番号ラベル収納ポケットを設け、それと対応する外側にラベル番号表示窓を設け、下方角隅にサイズ・色ラベルを貼る。  （ハ）ケースの透かし部のない短手側壁の内側に、手入れセット収納部と脱臭剤収納部を並べて設ける。  （ニ）ケースと蓋の四方の側壁面を約４〜５ミリ程下方に向かって斜めに内側にすぼめるように形成する。  以上を特徴とする包装箱である。【選択図】図１
2013220850.tif 000002
【特許請求の範囲】
【請求項１】
ボール紙等で作られた包装箱の、略直方体の四方の側壁面の隣り合う二つの側壁面において、境界角線を含む連続壁面の大半の領域に、プラスチックやアクリル板等の透明板を用いて透かし部を設ける、蓋の側壁面全体の巾を出来るだけ小さくし、蓋の側壁面の内側全体に滑り止めを設け、又は蓋の長手方向側壁面の内側方向に凸部を数箇所設け、ケースの長手側壁面の透かし部のない方の側壁面のほぼ中央部に、指掛け用凹部を設け、ケースの透かし部の有る短手側壁面に、透明板の外域の上部内側に整理番号ラベル収納ポケットを設け、それと対応する外側の位置にラベル番号表示窓を設け、下方角隅にサイズ・色ラベルを貼り、ケースの透かし部のない短手側壁面の内側に、手入れセット収納部と脱臭剤収納部を並べて設け、脱臭剤収納部の内側側壁面に複数の通気孔を設けたことを特徴と刷る包装箱。
【請求項２】
ケースと蓋の四方の側壁面を約４〜５ミリ程下方に向かって斜めに内側にすぼめるように形成する事を特徴とする請求項１における包装箱。
【発明の詳細な説明】
【０００１】  本発明は、履物等を収納し展示及び保管するための包装箱に関するものである。
【背景技術】
【０００２】  従来、全体をボール紙でつくられた包装箱が主体であり、−部に包装箱全体が透明なプラスチック等で作られた物や、包装箱に箱窓や穴をあけ，中身の一部分のみが見える包装箱があった（特許文献１参照）。
【特許文献１】特開平１０−３２７９２１号  広報
【発明の開示】
【発明が解決しようとする課題】
【０００３】  それには次のような問題点があった。
（イ）店舗等の店頭に展示されている、ボール紙等で作られた従来の包装箱に収納された履物等は、外部から中身が見えず、収納品がどんな品物なのか解らなかった。そのため従業員等がその都度包装箱の蓋を開けて中身を確認しなければならなかった。これは非常に煩わしく不便であり、余分な手間暇を必要とした。同時にその包装箱をそのまま店頭に積み重ねて展示して置いたりしておくことは見苦しく、店舗としてのイメージも良くなかった。一方履物等の購入者も同様で、自宅に保管している履物等を使用したいと思う時、その履物等を一つ一つ蓋を開けて探すのは大変時間が掛かり，煩わしさと無駄な時間を費やした。そのため履物等を沢山所持している一般の人達や、職業上履物等を沢山必要とするような人達等は、包装箱に収納された品物の写真を撮って貼付けしたり、包装箱から出して履物等のすべてが全部見える様に並べて保管したりして色々と苦慮していた。
（ロ）一方購入者が保管している履物等を使用するために、特に芸能関係やファッション関係の履物等をたくさん利用する人達は、付人やマネージャー・スタイリスト等等に、履物等の準備を依頼するために、言葉やメモ等で伝えて、その品物を用意して貰うのは中々難しく、同時に何足も用意して貰わなくてはならず、無駄な時間と煩わしさを要した。
（ハ）履物等を手入れするためには、自分で別途手入れ用の用具を用意しなければならなかったか、購入後求める必要な色合いのクリーム等を探す事は大変難事で有った。又他の用具も、今使用中の履物等の用具と、他の履物等に使用した用具とは中々見分けが付け難く、混同して使用した結果、変色したとか汚れてしまったとかの、トラブルを生じることも多かった。それに包装箱に使用されている履物等の保護紙は他の用途には何も使用出来なかった。
（ニ）履物等を使用した後、包装箱に収納保管した時にその手入れの仕方によっては、汗やその他の異臭等が発生し、嫌な思いをしなければならない事もあった。
（ホ）一般に履物等のサイズや色合いは包装箱に直接印刷されていて、店舗店頭等ではこれ等を直接目で見て読み取り確認しなければならなかった。又サイズは必ずしも正面側に印刷されているとは限らず、側面等に印刷されている場合には、その都度包装箱をずらしてサイズを確認していた。それに棚の上段等に保管されたりしていた品物は、踏み台などを使用して確認しなければならなかった。
本発明は、以上の問題を解決するためになされたものである。
【課題を解決するための手段】
【０００４】  （イ）ボール紙等で作られた包装箱の、略直方体の四方の縦側壁面の隣り合う二つの壁面において、境界角線を含む連続面の大半の領域に、二面一体化としたプラスチックやアクリル板等の透明板を用いて透かし部を設ける。蓋の側壁面全体の巾を出来るだけ小さくする。蓋の側壁面の内側全体に滑り止めを設け、又は蓋の長手方向側壁面の内側方向に凸部を数箇所設ける。ケースの長手縦側壁面の透かし部のない方の壁面のほぼ中央部に、指掛け用凹部を設ける。
（ロ）ケースの透かし部の有る短手側壁面に、透明板の外域の上部内側に整理番号ラベル収納ポケットを設け、それと対応する外側の位置にラベル番号表示窓を設け、ラベル番号表示窓の下方角隅にサイズ・色ラベルを貼る。整理番号ラベル収納部に収納される整理番号ラベルには、各々に順番号が記載され、各番号のラベルはミシン目を境界として連結されている。
（ハ）ケースの透かし部のない短手側壁面の内側に、手入れセット収納部と脱臭剤収納部を並べて設け、脱臭剤収納部の内側側壁面に複数の通気孔を設ける。
（ニ）ケースと蓋の四方の側壁面を約４〜５ミリ程下方に向かって斜めに内側にすぼめるように形成する。
以上を特徴とする包装箱である。
【発明の効果】
【０００５】  （イ）包装箱には透かし部が大きく設けてあるので蓋を開けずに、収納された履物等の大半が見え、収納物がどんな品物かが直ぐに解る事により、店舗では包装箱の収納品の確認作業の手間暇や、煩わしさから解放される。その時間を顧客への応対・接客サービスに回すことも出来る。同時に包装箱は装飾的な効果も生みアクセントとなり、販売店としての清潔感や高級感等々のイメージアップに繋がり、結果販売促進の効果も生まれる。
又購入者は包装箱に収納された履物等が、包装箱の蓋を開けずに外部から確認出来る事により、包装箱から出して保管したり写真を貼り付けたりする必要もなく、包装箱まま保管できスペースの省力化や整理整頓が楽に出来る。
ラベル番号表示窓やサイズ・色ラベル等が設けてあるので、収納品が外部から直接確認出来、選別が楽に出来るので、使用したい履物等を探すその煩わしさや無駄な時間の労費がなくなる。
包装箱のみインターネット通販等で購入し、既存の包装箱の履物等を入れ替えし、一種の包装箱に統一して並べ替えれば、整理整頓された綺麗な保管が出来る。
（ロ）整理番号ラベルにより、履物等は番号順に整理する事が出来、保管するためのスペースの省力化や、包装箱を積み重ね並べて整理出来るので管理が楽になる。
購入者が履物等を使用するため自分以外の人に、その準備を依頼する時も言葉やメモで番号を伝えれば済み、誰でもが簡単に選択準備する事ができる。
整理番号ラベルが整理番号ラベル収納ポケットに入っているので、購入日と購入店名も記録出来、補修・修理の場合もどこに依頼すれば良いのか直ぐに解る。
（ハ）手入れセット収納部にセットされた諸手入れ用具があるので、履物等の手入れ用具を自分で調達する必要がなくなり、求める色合いの物を探すため長時間を費やしたり、見つからなかったとかの労力を省くことが出来る。手入れの際、セットされた専用用具にて簡単に手入れが出来、それ用の既存の用具を探す手間暇も必要もなくなり、他の履物等で使用した用具を間違って使用して、その履物等が変色してしまったとか、汚れてしまったとかのトラブルを無くす事も出来る。
（ニ）付属の脱臭剤により、包装箱に収納保管された履物等からの汗やその他の異臭等を防ぐ事が出来、次回に使用する時不快な思いをせずに快適に使用できる。
（ホ）サイズ・色ラベルの色を見る事により、包装箱に収納された履物等のサイズが一目で確認でき、店頭で従業員等が包装箱をずらして見たり、手の届かない棚の上段等に保管されたりしている品物も、踏み台を使用しなくても、サイズ・色ラベルの色を見る事によって楽に判別出来る。
購入者は自分が保管している履物等を同様にサイズ・色ラベルの色（２〜３種類）を見る事によって簡単にサイズが判る。日によっては少し緩めのを履きたいとか、少し締まった物を履きたいとか、又あの履物はサイズが少し大きいとか小さいとかその他色々の面で活用が出来る。
【発明を実施するための最良の形態】
【０００６】  以下、本発明の実施の形態について説明する。
（イ）ボール紙等で作られた包装箱（１２）の、略直方体の四方の縦側壁面の隣り合う二つの側壁面において、境界角線を含む連続面の大半の領域に、二面一体化としたプラスチックやアクリル板等の透明板を用いて透かし部（４）をもうける。蓋（１）の側壁面全体の巾を出来るだけ小さくする。蓋（１）の側壁面の内側全体に滑り止め（１０）を設け、又は蓋（１）の長手方向側壁面の内側方向に凸部を数箇所設ける。ケース（２）の長手側壁面の透かし部（４）のない方の壁面のほぼ中央部に、指掛け用凹部（１５）を設ける。
（ロ）ケース（２）の透かし部（４）の有る短手側壁面に、透明板の外域の上部内側に整理番号ラベル収納ポケット（６）を設け、それと対応する外側の位置にラベル番号表示窓（５）を設け、下部角隅にサイズ・色ラベル（７）を貼る。
（ハ）ケース（２）の透かし部（４）のない短手壁の内側に、手入れセット収納部（８）と脱臭剤収納部（９）を並べて設け、脱臭剤収納部（９）の内側壁面に複数の通気孔（３）を設ける。
（ニ）ケース（２）と蓋（１）の四方の側壁面を約４〜５ミリ程下方に向かって斜めに内側にすぼめるように形成する。
本発明は、以上のような構成よりなっている。
これを使用するときは、店舗店頭等では、包装箱（１２）に履物等緩衝用布材（１１）に包まれた履物等（１３）を入れ、蓋（１）をして棚板（１８）より少し斜めにずらして展示する。その場合ケース（２）に収納された履物等（１３）が良く見えるよう、履物等緩衝用布材（１１）を適度に除けて展示する。
又保管する場合はケース正面（１６）を手前にして棚板（１８）と直角にして積み重ねて保管する。
購入者が履物等（１３）を保管する時は、使用した履物等（１３）を、手入れセット収納部（８）の用具や履物等緩衝用布材（１１）等にて手入れし、整理番号ラベル収納ポケット（６）に収納された整理番号ラベル（１４）を、必要分だけミシン目にそって切り離し、ケース正面（１６）のラベル番号表示窓（５）から番号が見える様にして、番号順にケース（２）に収納し、積み重ねて保管する。又脱臭剤収納部の脱臭剤は適当な時期をみて交換すれば良い。
ケース（２）に収納された履物等（１３）を他の人に余り見られたくない時や、自分が殆んど使用しない履物等（１３）は、整理番号ラベル（１４）をケース背面（１７）に貼り付けし、ケース背面（１７）を、手前側のケース正面（１６）側と入れ替え、常時使用する履物等（１３）と、余りしない履物等（１３）の区別が出来るようにする。
包装箱空箱の通販等の場合は、ケース（２）の蓋をはずした状態で、ケース（２）同士を差し込み重ね合わせ、かさ張らないようにして搬送する。
【図面の簡単な説明】
【０００７】
【図１】外観斜視図
【図２】店頭展示及び本発明の実施例において、自己保管時の履物等と、ケース内の履物等緩衝用布材が見えるように表示し、且つ、蓋滑り止めが見えるように表示した斜視図
【図３】本発明の一部において、手入れセット収納部と脱臭剤収納部及び指掛用凹部が特に見えるように表示した斜視図
【図４】本発明を短手辺中央で長手方向に切断し、手入れセット収納部、脱臭剤収納部及び整理番号ラベル収納ポケット、ラベル番号表示窓及びサイズ・色ラベルが見えるように表示した斜視図
【図５】本発明を店舗展示用に利用する場合の実施例を示す斜視図
【図６】本発明を購入者が保管用に利用する場合の異なる二つの実施例（正面を手前及び背面を手前にした時）を示す斜視図
【符号の説明】
【０００８】１  蓋
２  ケース
３  通気孔
４  透かし部
５  ラベル番号表示窓
６  整理番号ラベル収納ポケット
７  サイズ・色ラベル
８  手入れセット収納部
９  脱臭剤収納部
１０  蓋滑り止め
１１  履物等緩衝用布材
１２  包装箱
１３  履物等
１４  整理番号ラベル
１５  指掛用凹部
１６  ケース正面
１７  ケース背面
１８  棚板
【図１】
2013220850.tif 000003
【図２】
2013220850.tif 000004
【図３】
2013220850.tif 000005
【図４】
2013220850.tif 000006
【図５】
2013220850.tif 000007
【図６】
2013220850.tif 000008